(57)【要約】      （修正有）【課題】灌水用パイプに蛇口を取り付けることができる取付具を提供する。【解決手段】蛇口取付具１は、灌水用パイプに接合可能な第１部材１０と、第１部材１０に対向するとともに第１部材１０に固定手段であるねじ３によって連結可能な第２部材２０とを備える。第１部材１０は、その周方向内側に位置する第１開口１１と、第１開口１１周辺に配置された第１環状部材１２とを備える。第１環状部材１２は、一方の半円部１４及び他方の半円部１５を備える。第１環状部材１２は、対向面１４Ｅと対向面１５Ｅとの離間寸法をねじ１３によって調整することができる。第２部材２０は、その周方向内側に位置する第２開口２１と、第２開口２１周辺に配置された第２環状部材２２とを備え、第２環状部材２２の内周には、蛇口が螺合可能なねじ山が形成される。第２開口部２１に蛇口を螺合することによって、容易に蛇口取付具１に蛇口を取り付けることができる。【選択図】図１
0003227187.tif 000002
【実用新案登録請求の範囲】
【請求項１】
灌水用パイプに蛇口を取り付けるための蛇口取付具であって、
前記灌水用パイプに接合可能な第１部材と、前記第１部材に対向するとともに前記第１部材に固定手段によって連結可能な第２部材とを備え、
前記第１部材は、その径方向内側に位置する第１開口と、前記第１開口周辺に配置された第１環状部材とを備え、前記第１環状部材はその径方向外側に移動可能とすることにより、前記第１開口の開口面積を可変とすることができ、
前記第２部材は、その径方向内側に位置する第２開口と、前記第２開口周辺に配置された第２環状部材とを備え、前記第２環状部材の内周には、前記蛇口が螺合可能なねじ山が形成されることを特徴とする蛇口取付具。
【請求項２】
前記固定手段としてねじを用い、
前記第１部材及び前記第２部材には、前記ねじが貫通する第１ねじ穴及び第２ねじ穴をそれぞれ設けるとともに、
前記第２ねじ穴は長孔であることを特徴とする請求項１記載の蛇口取付具。
【請求項３】
前記第１環状部材は、連結部材によって連結可能な一方の半円部及び他方の半円部を備え、前記一方の半円部の対向面と前記他方の半円部の対向面とが離間することによって前記第１開口の開口面積を増大させることができることを特徴とする請求項１記載の蛇口取付具。
【考案の詳細な説明】
【技術分野】
【０００１】
この考案は、パイプに蛇口等を取り付けるための取付具に関し、特に灌水用のパイプに蛇口を取り付けるための取付具に関する。
【背景技術】
【０００２】
従来、圃場に農業用水を灌水するために用水路に灌水用パイプが取り付けられている。灌水用パイプには開閉用のバルブが設けられ、このバルブの開閉によって農業用水を圃場に供給することができる。
【先行技術文献】
【特許文献】
【０００３】
【特許文献１】特開２０１５−２００４０１号公報
【考案の概要】
【考案が解決しようとする課題】
【０００４】
農業用水は圃場に灌水する他、農作業後に農機具を洗浄したりするのにも用いられる。従来の方法によれば、バルブを開けて灌水用パイプから直接農業用水を農機具等にかけてこれを洗浄していた。しかし、灌水用パイプから直接出る農業用水は、その水量を調整することができず不便であった。
【０００５】
この考案では、灌水用パイプに容易に蛇口を取り付けることができる取付具を提供することを課題とする。
【課題を解決するための手段】
【０００６】
この考案は、灌水用パイプに蛇口を取り付けるための蛇口取付具であって、前記灌水用パイプに接合可能な第１部材と、前記第１部材に対向するとともに前記第１部材に固定手段によって連結可能な第２部材とを備え、前記第１部材は、その径方向内側に位置する第１開口と、前記第１開口周辺に配置された第１環状部材とを備え、前記第１環状部材はその径方向外側に移動可能とすることにより、前記第１開口の開口面積を可変とすることができ、前記第２部材は、その径方向内側に位置する第２開口と、前記第２開口周辺に配置された第２環状部材とを備え、前記第２環状部材の内周には、前記蛇口が螺合可能なねじ山が形成されることを特徴とする。
この考案によれば、灌水用パイプに容易に蛇口を取り付けることができ、蛇口を介して水量を調整しながら農業用水を利用することができる。
【０００７】
前記固定手段としてねじを用い、前記第１部材及び前記第２部材には、前記ねじが貫通する第１ねじ穴及び第２ねじ穴をそれぞれ設けるとともに、前記第２ねじ穴は長孔であることを特徴とする。
第２ねじ穴を長孔にすることによって、種々の径の灌水用パイプへの設置が可能となり、がたつきなく確実に灌水用パイプに蛇口取付具を取り付けることができる。
【０００８】
前記第１環状部材は、連結部材によって連結可能な一方の半円部及び他方の半円部を備え、前記一方の半円部の対向面と前記他方の半円部の対向面とが離間することによって前記第１開口の開口面積を増大させることができることを特徴とする。
連結部材を調整することによって、種々の径の灌水用パイプに第１部材を確実にかつ強固に固定することができる。
【考案の効果】
【０００９】
この考案の蛇口取付具によれば、第１部材によって灌水用パイプに固定し、第２部材を介して蛇口を取り付けることができるから、この蛇口の取付が容易であり、蛇口によって水量を調節しながら灌水用パイプからの農業用水を利用することができる。
【図面の簡単な説明】
【００１０】
【図１】蛇口取付具の斜視図。
【図２】蛇口取付具の使用状態を示す図。
【図３】図１の分解図。
【図４】図２の蛇口取付具をＩＶで示す線で切断し矢印の方向から見たときの断面図。
【図５】図２の蛇口取付具をＶで示す線で切断し矢印の方向から見たときの断面図。
【考案を実施するための形態】
【００１１】
図１〜５を参照すれば、この実施形態における蛇口取付具１は、圃場に農業用水を灌水する際に用いる灌水用パイプＰに蛇口Ｆを取り付けるものである。特に図２を参照すれば、蛇口取付具１は灌水用パイプＰの端部に固定され、蛇口取付具１を介して蛇口Ｆを灌水用パイプＰに設置することができる。蛇口取付具１は、灌水用パイプＰに接合可能な第１部材１０と、第１部材１０に対向するとともに第１部材１０に固定手段であるねじ３によって連結可能な第２部材２０とを備える。
【００１２】
特に図１、図３及び図４を参照すれば、第１部材１０は、略円形板状であり、その径方向内側に位置する第１開口１１と、第１開口１１周辺に配置された第１環状部材１２とを備える。第１環状部材１２は、一方の半円部１４及び他方の半円部１５によって構成される。一方の半円部１４は第２部材２０に対向する内面１４Ａと、その反対に位置する外面１４Ｂと、第１開口１１を形成する内周面１４Ｃと、その反対に位置する外周面１４Ｄと、他方の半円部１５に対向する一対の対向面１４Ｅとを備える。同様に、他方の半円部１５も第２部材２０に対向する内面１５Ａと、その反対に位置する外面１５Ｂと、第１開口１１を形成する内周面１５Ｃと、その反対に位置する外周面１５Ｄと、一方の半円部１４に対向する一対の対向面１５Ｅとを備える。
【００１３】
第１環状部材１２は、一方の半円部１４の対向面１４Ｅと他方の半円部１５の対向面１５Ｅとの離間寸法をねじ１３によって調整することができる。より詳細には、一方の半円部１４の対向面１４Ｅ及び他方の半円部１５の対向面１５Ｅには、ねじ１３が挿入可能なねじ穴１４Ｆ及び１５Ｆがそれぞれ設けられる。ねじ１３を締めることによって、半円部１４の対向面１４Ｅと他方の半円部１５の対向面１５Ｅの離間距離が小さくなり、第１開口１１の開口面積を小さくすることができる。ねじ１３を緩めることによって、対向面１４Ｅ及び対向面１５Ｅの離間距離が大きくなり、第１開口１１の開口面積を増大させることができる。
【００１４】
上記のような第１部材１０の第１開口１１に灌水用パイプＰを挿入しねじ１３を締めることによって、蛇口取付具１を固定する。灌水用パイプＰはその仕様により径にばらつきがあるが、ねじ１３を設けることにより第１開口１１の開口面積を調整することができ、種々の径の灌水用パイプＰに第１部材１０をがたつきなく強固に取り付けることができる。
【００１５】
特に図４を参照すれば、一方の半円部１４の内周面１４Ｃは、内面１４Ａから外面１４Ｂに向かって外周面１４Ｄに近づくように傾斜する。同様に他方の半円部１５の内周面１５Ｃも、内面１５Ａから外面１５Ｂに向かって外周面１５Ｄに近づくように傾斜する。すなわち、一方の半円部１４の内周面１４Ｃ及び他方の半円部１５の内周面１５Ｃで形成された第１開口１１は、内面から外面に向かって外周側に広がっている。
灌水用パイプＰは、端部に向かって細くなる形状をしていることが多いが、上記の構成にすることにより、このような形状の灌水用パイプＰに第１部材１０を密着して取り付けることができる。
【００１６】
上記のような第１部材１０の内面１４Ａ及び内面１５Ａに対向する位置には略円形板状の第２部材２０を備える。第２部材２０は、その径方向内側に位置する第２開口２１と、第２開口２１周辺に配置された第２環状部材２２とを備える。
第２環状部材２２は、第１部材１０に対向する内面２２Ａと、その反対に位置する外面２２Ｂと、第２開口２１を形成する内周面２２Ｃと、その反対に位置する外周面２２Ｄとを備える。内周面２２Ｃには、蛇口Ｆが螺合可能なねじ山が形成される（図示せず）。内周面２２Ｃに蛇口Ｆを螺合することによって、容易に蛇口取付具１に蛇口Ｆを取り付けることができる。
【００１７】
特に図４を参照すれば、内面２２Ａには内周面２２Ｃ近傍が第１部材１０側に突出する突起部２５を設け、突起部２５に弾性体２４を嵌合している。弾性体２４としてはゴム製パッキン材を用いることができる。特に図２及び図５を参照すれば、弾性体２４は、全体的に、中央部分がくりぬかれた円形のドーナツ形状をしている。弾性体２４の外径は第２環状部材２２の外径、すなわち外周面２２Ｄよりも小さく、内径は突起部２５の直径よりもわずかに大きい。
【００１８】
灌水用パイプＰを第１部材１０の第１開口１１に挿入した後、その先端が弾性体２４に密着するように押し付ける。このように灌水用パイプＰの先端と弾性体２４とを密着させることによって、水密に保つことができ灌水用パイプＰからの水漏れを防止することができる。また、灌水用パイプＰを第２部材２０の第２開口２１と連通させることにより、灌水用パイプＰから第２開口２１に取り付けた蛇口Ｆへと農業用水を供給することができる。したがって、蛇口Ｆを回旋することによって水量を調整しながら農業用水を使用することができる。
【００１９】
第１部材１０と第２部材２０とは、固定手段である複数のねじ３によって互いに連結及び固定される。第１部材１０の一方の半円部１４及び他方の半円部１５にはこれら部材を厚さ方向に貫通する複数の第１ねじ穴１６が設けられ、第２部材２０にはこれを厚さ方向に貫通する複数の第２ねじ穴２３が設けられる。この実施形態においてねじ３は４つ設けられ、同様に第１ねじ穴１６及び第２ねじ穴２３もそれぞれ４つ設けられる。
特に図３及び図５を参照すれば、第２部材２０に設けた第２ねじ穴２３は、長孔としている。より具体的に、４つの第２ねじ穴２３は点対称になるように形成されている。
【００２０】
前述したように灌水用パイプＰの径はその種類により大きさが異なり、第１部材１０は第１開口１１の開口面積を可変とする機構を備えている。灌水用パイプＰの径が小さい場合には、第１開口１１が小さくなり、第１部材１０及び第２部材２０を固定するねじ３は内側に位置する。灌水用パイプＰの径が大きい場合には、第１開口１１が大きくなり、ねじ３は外側に位置する。このようにねじ３の位置が変化した場合であっても、第２部材２０の第２ねじ穴２３を長孔にすることによって、第１部材１０に対して第２部材２０を強固に締結することができる。
【００２１】
特に図２を参照すれば、灌水用パイプＰは、その先端に行くほど細くなるテーパ部が複数設けられることが多い。テーパ部とテーパ部との間には段部が形成される。第１部材１０は、段部に引っ掛けるように取り付けることが好ましい。このように取り付けることによって、ねじ３を締めて第１部材１０と第２部材２０とを固定しようとしたとき、第１部材１０の内面１４Ａ及び１５Ａを段部に引っ掛けることができ、より確実に第１部材１０と第２部材２０とを固定することができるとともに、灌水用パイプＰの先端を弾性体２４に密着させることができる。
【００２２】
この実施形態によれば、ねじ１３を締めることによって、サイズの異なる灌水用パイプＰに蛇口取付具１を容易に取り付けることができる。また、ねじ３を締めることによって、確実に灌水用パイプＰの先端を水密に保持しながら、蛇口取付具１を設置することができる。蛇口Ｆは第２部材２０の第２開口２１に螺合するだけで容易に取り付けることができ、水量調整をしながら農業用水を使用することができる。
【００２３】
蛇口取付具１を構成する各構成部材には、本明細書に記載されている材料のほかに、この種の分野において通常用いられている、各種の公知の材料を制限なく用いることができる。また、本考案の明細書および実用新案登録請求の範囲において、用語「第１」および「第２」は、同称の要素、位置等を単に区別するために用いられている。
【符号の説明】
【００２４】
Ｐ    灌水用パイプ
Ｆ    蛇口
１    蛇口取付具
３    ねじ（固定手段）
１０    第１部材
１１    第１開口
１２    第１環状部材
１３    ねじ（連結手段）
１４    一方の半円部
１４Ａ  内面
１４Ｂ  外面
１４Ｃ  内周面
１４Ｄ  外周面
１４Ｅ  対向面
１４Ｆ  ねじ穴
１５    他方の半円部
１５Ａ  内面
１５Ｂ  外面
１５Ｃ  内周面
１５Ｄ  外周面
１５Ｅ  対向面
１５Ｆ  ねじ穴
１６    第１ねじ穴
２０    第２部材
２１    第２開口
２２    第２環状部材
２２Ａ  内面
２２Ｂ  外面
２２Ｃ  内周面
２２Ｄ  外周面
２３    第２ねじ穴
２４    弾性部材
２５    突起部
【図１】
0003227187.tif 000003
【図２】
0003227187.tif 000004
【図３】
0003227187.tif 000005
【図４】
0003227187.tif 000006
【図５】
0003227187.tif 000007
【手続補正書】
【提出日】令和2年3月31日(2020.3.31)
【手続補正１】
【補正対象書類名】実用新案登録請求の範囲
【補正対象項目名】請求項１
【補正方法】変更
【補正の内容】
【請求項１】
灌水用パイプに蛇口を取り付けるための蛇口取付具であって、
前記灌水用パイプに接合される第１部材と、前記第１部材に対向するとともに前記第１部材に固定手段によって連結可能な第２部材とを備え、
前記第１部材は、その径方向内側に位置する第１開口と、前記第１開口周辺に配置された第１環状部材とを備え、前記第１環状部材はその径方向外側に移動することにより、前記第１開口の開口面積を可変とすることができ、
前記第２部材は、その径方向内側に位置する第２開口と、前記第２開口周辺に配置された第２環状部材とを備え、前記第２環状部材の内周には、前記蛇口が螺合可能なねじ山が形成されることを特徴とする蛇口取付具。
【手続補正２】
【補正対象書類名】明細書
【補正対象項目名】０００６
【補正方法】変更
【補正の内容】
【０００６】
この考案は、灌水用パイプに蛇口を取り付けるための蛇口取付具であって、前記灌水用パイプに接合される第１部材と、前記第１部材に対向するとともに前記第１部材に固定手段によって連結可能な第２部材とを備え、前記第１部材は、その径方向内側に位置する第１開口と、前記第１開口周辺に配置された第１環状部材とを備え、前記第１環状部材はその径方向外側に移動することにより、前記第１開口の開口面積を可変とすることができ、前記第２部材は、その径方向内側に位置する第２開口と、前記第２開口周辺に配置された第２環状部材とを備え、前記第２環状部材の内周には、前記蛇口が螺合可能なねじ山が形成されることを特徴とする。
この考案によれば、灌水用パイプに容易に蛇口を取り付けることができ、蛇口を介して水量を調整しながら農業用水を利用することができる。